Podtech/llm-jp-corpus-v4-ja_patent huggingface dataset:
【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
通信モジュールとＰＬＣから成る伝送装置間でデータ伝送を行う通信制御システムにおいて、前記伝送装置は、
通信モジュールに内蔵された１つの通信コントローラが通信モジュール間同士の通信と、ＰＬＣと通信モジュール間の通信制御を実行する手段、
前記通信モジュール内のデータ処理部の動作をＰＬＣのユーザプログラムで監視し、上記データ処理部の起動処理中は通信コントローラに対して外部通信処理の停止を行う手段を有することを特徴とする伝送装置。
【請求項２】
前記通信モジュールにおいて、前記通信モジュール内のデータ処理部の動作をＰＬＣのユーザプログラムで監視し、前記データ処理部の異常時に通信コントローラに対して外部通信処理の停止を行う手段を有することを特徴とする請求項１記載の伝送装置。
【請求項３】
前記通信モジュールにおいて、前記通信モジュール内のデータ処理部の動作をＰＬＣのユーザプログラムで監視し、前記データ処理部の異常時には通信コントローラに内蔵した動作復旧機能をＰＬＣのユーザプログラムの指示で実行する手段を有することを特徴とする請求項１記載の伝送装置。
【請求項４】
通信モジュールとＰＬＣから成る伝送装置間でデータ伝送を行う通信制御システムにおいて、前記伝送装置は、
前記通信モジュール内のデータ処理部の動作をＰＬＣのユーザプログラムで監視しながら、前記プログラムに対する生存カウンタの値の変化をチェックし、
前記カウンタの値が変化しなくなってから第１の時間が経過したら、外部通信の動作を停止し、
前記カウンタの値が変化しなくなってから、前記第１の時間よりも長い第２の時間が経過したら、前記通信モジュールの動作をリセットし、
所定の時間後に、前記通信モジュールを再起動することを特徴とする通信制御方法。
【請求項５】
前記通信モジュールを制御する、前記第１の時間、及び前記第２の時間の値は、前記ユーザプログラムを介して予め所定の値に設定されることを特徴とする請求項４記載の通信制御方法。
【請求項６】
前記通信モジュールは、前記通信モジュールが起動されてからリセットされるまでＯＮとなる再起動ビット、及び、外部通信が開始されて停止されるまでＯＮとなる通信許可ビットを保持することを特徴とする請求項４又は請求項５に記載の通信制御方法。
【手続補正書】
【提出日】平成28年1月26日(2016.1.26)
【手続補正１】
【補正対象書類名】明細書
【補正対象項目名】００５２
【補正方法】変更
【補正の内容】
【００５２】
２値化部４２Ｂは、２値化部４２Ａと同様に、マップデータＭＡＰ２に基づいて、そのマップデータＭＡＰ２に含まれる信号成分ＳＣを、負のしきい値ＴＨＮと比較することにより２値化処理を行い、マップデータＭＡＰＢとして出力するものである。すなわち、マップデータＭＡＰＢは、負極性領域ＮＲ（図５Ａに示した負極性領域ＮＲ１，ＮＲ２）を示すものである。
【手続補正２】
【補正対象書類名】明細書
【補正対象項目名】００８６
【補正方法】変更
【補正の内容】
【００８６】
図１２（Ａ）に示したように、解析部４５は、タイミングｔ１１では状態ＳＴ１であると判断し、タイミングｔ１２では状態ＳＴ２であると判断し、タイミングｔ１３では状態ＳＴ１であると判断する。追跡処理部３３は、この判断結果を、例えばＩＩＲ（Infinite Impulse Response）フィルタで構成される低域通過フィルタによりフィルタリングすることにより、解析部４５の判断結果を修正する（図１２（Ｂ））。これにより、タイミングｔ１２において、２つのタッチ点ＴＰは、同じユーザによるものと判断される。
【手続補正３】
【補正対象書類名】明細書
【補正対象項目名】００９１
【補正方法】変更
【補正の内容】
【００９１】
図１３Ｂの例では、二人のユーザがそれぞれの指で操作しているため、一対の負極性点ＮＰが生じず、タッチパネル１は、これらの２つのタッチ点ＴＰが異なるユーザによるものであると判断する。そして、電子機器は、異なるユーザによる２つのタッチ点ＴＰが互いに離れるように移動することから、ユーザが画像ＰＩＣを移動させようとしていると判断する。そして、電子機器は、例えば、各タッチ点ＴＰに対する追跡処理の結果に基づき、２つのタッチ点ＴＰのうちの１つのタッチ点ＴＰを有効にし、画像ＰＩＣを移動させる。
【手続補正４】
【補正対象書類名】明細書
【補正対象項目名】００９８
【補正方法】変更
【補正の内容】
【００９８】
まず、解析部４５Ｂは、全てのタッチ点ＴＰのうち、一対のタッチ点ＴＰ（タッチ点ペア）を選択する（ステップＳ１１）。
【手続補正５】
【補正対象書類名】明細書
【補正対象項目名】００９９
【補正方法】変更
【補正の内容】
【００９９】
次に、解析部４５Ｂは、ステップＳ１１において選択したタッチ点ペアに対応する、一対の負極性点ＮＰ（負極性点ペア）があるか否かを確認する（ステップＳ１２）。具体的には、解析部４５Ｂは、タッチ点ペアの一方のタッチ点ＴＰのｘ座標と他方のタッチ点ＴＰのｙ座標により特定される位置と、他方のタッチ点ＴＰのｘ座標と一方のタッチ点ＴＰのｙ座標により特定される位置に、それぞれ負極性点ＮＰがあるか否かを確認する。選択したタッチ点ペアに対応する負極性点ペアがない場合には、ステップＳ１４に進む。
【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
表示手段に表示される画面上への位置入力を検出する検出手段と、
前記表示手段に表示アイテムを表示し、スクロール指示に応じた表示効果を伴って前記表示アイテムをスクロールするように制御する表示制御手段と、
前記スクロールの最中に前記検出手段によって前記画面上への位置入力を検出すると、該位置入力を検出した際の表示効果を伴ったまま該スクロールを停止するように制御する制御手段と
を有することを特徴とする表示制御装置。
【請求項２】
表示手段に表示される画面上への位置入力を検出する検出手段と、
前記表示手段に表示アイテムを表示し、スクロール指示に応じた表示効果を伴って前記表示アイテムをスクロールするように制御する表示制御手段と、
前記スクロールの最中に前記検出手段によって前記画面上への位置入力を検出すると、該位置入力を検出している間は、該位置入力を検出した際の表示効果を保つように制御する制御手段と
を有することを特徴とする表示制御装置。
【請求項３】
前記制御手段は、前記位置入力を検出したことに応じて前記スクロールを停止するように制御することを特徴とする請求項２に記載の表示制御装置。
【請求項４】
前記位置入力を検出した際の表示効果を保ったまま該位置入力を検出している状態で、かつ、該位置入力が移動していない状態で該位置入力が検出されなくなると、前記制御手段は、前記表示効果を解除するように制御することを特徴とする請求項１乃至３の何れか１項に記載の表示制御装置。
【請求項５】
前記位置入力を検出した際の表示効果を保ったまま該位置入力を検出している状態で、かつ、該位置入力が移動している状態で該位置入力が検出されなくなると、前記制御手段は、該位置入力が検出されなくなった際の前記スクロール指示に応じた表示効果を伴って前記表示アイテムをスクロールするように制御することを特徴とする請求項１乃至４の何れか１項に記載の表示制御装置。
【請求項６】
前記位置入力を検出した際の表示効果を保ったまま該位置入力を検出している状態で、検出している前記位置入力の位置が移動することに応じて、前記位置入力を検出した際の表示効果を保ったまま前記表示アイテムをスクロールするように制御することを特徴とする請求項１乃至５の何れか１項に記載の表示制御装置。
【請求項７】
前記検出手段は、前記表示手段へのタッチ入力を検出するタッチ検出手段であることを特徴とする請求項１乃至６の何れか１項に記載の表示制御装置。
【請求項８】
前記表示制御手段は、スクロール指示に応じて第１の方向及び第２の方向の少なくとも何れかのスクロール方向に、該スクロール方向に応じて異なる表示効果を伴って前記表示アイテムをスクロールすることを特徴とする請求項１乃至７の何れか１項に記載の表示制御装置。
【請求項９】
前記表示制御手段は、スクロール指示に応じたスクロール速度で、該スクロール速度に応じた度合いの前記表示効果を伴って前記表示アイテムをスクロールすることを特徴とする請求項１乃至８の何れか１項に記載の表示制御装置。
【請求項１０】
前記スクロール指示としてユーザ操作を受付ける受付け手段を更に有することを特徴とする請求項１乃至９の何れか１項に記載の表示制御装置。
【請求項１１】
前記表示効果は、スクロール方向に応じて異なる方向に前記表示アイテムを傾けて表示する表示効果であることを特徴とする請求項１乃至１０の何れか１項に記載の表示制御装置。
【請求項１２】
前記表示効果は、スクロール速度に応じて異なる角度で前記表示アイテムを傾けて表示する表示効果であることを特徴とする請求項１乃至１１の何れか１項に記載の表示制御装置。
【請求項１３】
前記表示効果は、前記画面上の位置別の表示アイテムの表示サイズをスクロール方向に応じて異ならせる表示効果であることを特徴とする請求項１乃至１２の何れか１項に記載の表示制御装置。
【請求項１４】
前記表示効果は、前記画面上の位置別の表示アイテムの表示サイズをスクロール速度に応じて異ならせる表示効果であることを特徴とする請求項１乃至１３の何れか１項に記載の表示制御装置。
【請求項１５】
前記表示効果は、前記画面上の位置別の背景色をスクロール方向に応じて異ならせる表示効果であることを特徴とする請求項１乃至１４の何れか１項に記載の表示制御装置。
【請求項１６】
前記表示効果は、前記画面上の位置別の背景色をスクロール速度に応じて異ならせる表示効果であることを特徴とする請求項１乃至１５の何れか１項に記載の表示制御装置。
【請求項１７】
前記表示制御手段は、前記表示手段に複数の表示アイテムをマルチ表示した状態で受付けた前記スクロール指示に応じて、前記複数の表示アイテムをスクロールするように制御することを特徴とする請求項１乃至１６の何れか１項に記載の表示制御装置。
【請求項１８】
前記表示制御手段は、撮像手段を有する撮像装置であることを特徴とする請求項１乃至１７の何れか１項に記載の表示制御装置。
【請求項１９】
表示手段に表示される画面上への位置入力を検出する検出ステップと、
前記表示手段に表示アイテムを表示し、スクロール指示に応じた表示効果を伴って前記表示アイテムをスクロールするように制御する表示制御ステップと、
前記スクロールの最中に前記検出ステップによって前記画面上への位置入力を検出すると、該位置入力を検出した際の表示効果を伴ったまま該スクロールを停止するように制御する制御ステップと
を有することを特徴とする表示制御装置の制御方法。
【請求項２０】
表示手段に表示される画面上への位置入力を検出する検出ステップと、
前記表示手段に表示アイテムを表示し、スクロール指示に応じた表示効果を伴って前記表示アイテムをスクロールするように制御する表示制御ステップと、
前記スクロールの最中に前記検出ステップによって前記画面上への位置入力を検出すると、該位置入力を検出している間は、該位置入力を検出した際の表示効果を保つように制御する制御ステップと
を有することを特徴とする表示制御装置の制御方法。
【請求項２１】
コンピュータを、請求項１乃至１８の何れか１項に記載の表示制御装置の各手段として機能させるためのプログラム。
【請求項２２】
コンピュータを、請求項１乃至１８の何れか１項に記載の表示制御装置の各手段として機能させるためのプログラムを格納したコンピュータが読み取り可能な記憶媒体。
【手続補正２】
【補正対象書類名】明細書
【補正対象項目名】０００８
【補正方法】変更
【補正の内容】
【０００８】
本発明の表示制御装置は、表示手段に表示される画面上への位置入力を検出する検出手段と、前記表示手段に表示アイテムを表示し、スクロール指示に応じた表示効果を伴って前記表示アイテムをスクロールするように制御する表示制御手段と、前記スクロールの最中に前記検出手段によって前記画面上への位置入力を検出すると、該位置入力を検出した際の表示効果を伴ったまま該スクロールを停止するように制御する制御手段とを有することを特徴とする。
【手続補正書】
【提出日】平成28年8月3日(2016.8.3)
【手続補正１】
【補正対象書類名】特許請求の範囲
【補正対象項目名】全文
【補正方法】変更
【補正の内容】
【特許請求の範囲】
【請求項１】
複数の走査電極と、
前記複数の走査電極と交差する、前記走査電極と異なる面に形成された、平面視形状で五以上の角を有する複数の多角形の孔が互いに離間してマトリクス状に配列している複数の検出電極と、
隣接する前記検出電極同士の間に形成された、前記検出電極と同じ材料からなる、電気的に独立した複数のダミー電極と、
を備え、
前記複数のダミー電極のそれぞれの平面視形状が前記多角形の孔の形状である、
ことを特徴とするタッチパネル。
【請求項２】
請求項１に記載のタッチパネルであって、
前記検出電極の前記複数の多角形の孔と前記複数のダミー電極とが、連続した一様な配列である、
ことを特徴とするタッチパネル。
【請求項３】
請求項１または請求項２に記載のタッチパネルであって、
前記多角形が、前記角の数を増加させることにより、その平面視形状が円形として視認される、
ことを特徴とするタッチパネル。
【請求項４】
請求項１乃至３のいずれか一項に記載のタッチパネルであって、
前記検出電極の形成される領域である検出電極形成領域において、
前記検出電極の面積に対する前記複数の多角形の孔の面積の比率が、三分の二以上かつ二分の三以下である、
ことを特徴とするタッチパネル。
【請求項５】
請求項１乃至４のいずれか一項に記載のタッチパネルであって、
隣接する前記多角形の中心同士の距離が等しい、
ことを特徴とするタッチパネル。
【請求項６】
請求項１乃至５のいずれか一項に記載のタッチパネルであって、
前記検出電極が形成される表示領域の外側に、前記複数の多角形の孔が形成された電極であるシールド電極を更に備える、
ことを特徴とするタッチパネル。
【請求項７】
請求項１乃至６のいずれか一項に記載のタッチパネルと、
前記走査電極を対向電極として電界を形成させる画素電極と、
前記電界により配向が制御される液晶と、
を有することを特徴とする液晶表示装置。
【請求項８】
複数の走査電極と、
前記複数の走査電極と交差する、前記走査電極と異なる面に形成された、平面視形状で五以上の角を有する複数の多角形の孔が互いに離間してマトリクス状に配列している複数の検出電極と、
隣接する前記検出電極同士の間に形成された、前記検出電極と同じ材料からなる、電気的に独立した複数のダミー電極と、
を備え、
前記複数のダミー電極のそれぞれの平面視形状が前記多角形の孔の形状で、
前記検出電極と前記ダミー電極との境界線を対称軸として、前記多角形の孔と前記ダミー電極とは線対称な形状である、
ことを特徴とするタッチパネル。
【請求項９】
請求項８に記載のタッチパネルであって、
前記検出電極の前記複数の多角形の孔と前記複数のダミー電極とが、連続した一様な配列である、
ことを特徴とするタッチパネル。
【請求項１０】
請求項８または請求項９に記載のタッチパネルであって、
前記多角形が、前記角の数を増加させることにより、その平面視形状が円形として視認される、
ことを特徴とするタッチパネル。
【請求項１１】
請求項８乃至１０のいずれか一項に記載のタッチパネルであって、
前記検出電極の形成される領域である検出電極形成領域において、
前記検出電極の面積に対する前記複数の多角形の孔の面積の比率が、三分の二以上かつ二分の三以下である、
ことを特徴とするタッチパネル。
【請求項１２】
請求項８乃至１１のいずれか一項に記載のタッチパネルであって、
隣接する前記多角形の中心同士の距離が等しい、
ことを特徴とするタッチパネル。
【請求項１３】
請求項８乃至１２のいずれか一項に記載のタッチパネルであって、
前記検出電極が形成される表示領域の外側に、前記複数の多角形の孔が形成された電極であるシールド電極を更に備える、
ことを特徴とするタッチパネル。
【請求項１４】
請求項８乃至１３のいずれか一項に記載のタッチパネルと、
前記走査電極を対向電極として電界を形成させる画素電極と、
前記電界により配向が制御される液晶と、
を有することを特徴とする液晶表示装置。
【手続補正書】
【提出日】平成28年9月10日(2016.9.10)
【手続補正１】
【補正対象書類名】特許請求の範囲
【補正対象項目名】全文
【補正方法】変更
【補正の内容】
【特許請求の範囲】
【請求項１】
細胞染色手段は、
生体から採取された試料を染色する染色液であり、
前記染色された細胞における活性度の違いを識別可能な染色液である事を特徴とする
細胞染色手段。
【請求項２】
細胞染色手段は、
生体から採取された試料を染色する染色液であり、
前記染色された細胞における活性度の違いを識別可能な染色液であり、
その溶媒が水である事を特徴とする
細胞染色手段。
【請求項３】
請求項１または請求項２のいづれかにおける染色液は、
その一成分として少なくとも分子Aを含む事を特徴とする.
細胞染色手段。
【請求項４】
細胞染色手段は、
請求項１から請求項３のいづれかにおける前記染色液と、
生体から試料を採取する採取手段と、
前記採取手段にて採取され、無撹拌にて、前記染色水溶液を添加された、試料を観察する
顕微鏡手段と、
前記顕微鏡手段にて観察される、白血球集合体画像において、
前記白血球集合体におけるタイムスケールにて区分される白血球部分集合体の大きさを計測し、それにより炎症を検出する演算手段を備える、
事を特徴とする細胞染色手段。
【請求項５】
請求項４における顕微鏡手段が、位相差顕微鏡である事を特徴とする細胞染色手段。
【請求項６】
請求項４または請求項５におけるいづれかの顕微鏡手段が、蛍光顕微鏡である事を特徴と
する細胞染色手段。
【請求項７】
在演算手段、または、極演算手段を使用した演算装置を備えることを特徴とする。
【手続補正書】
【提出日】平成28年9月30日(2016.9.30)
【手続補正１】
【補正対象書類名】特許請求の範囲
【補正対象項目名】全文
【補正方法】変更
【補正の内容】
【特許請求の範囲】
【請求項１】
画像データに対して画像処理を行う画像処理装置であって、
前記画像データを構成する着目画素を含む第一の着目画素群と参照画素を含む第一の参照画素群との第一の類似度に基づいて前記着目画素の画素値を補正する第一の補正手段と、
前記着目画素を含む第二の着目画素群と前記参照画素を含む第二の参照画素群との第二の類似度に基づいて前記着目画素の画素値を補正する第二の補正手段と、
前記第一の類似度または前記第二の類似度に基づいて、前記第一の補正手段の結果及び前記第二の補正手段の結果から補正画像を示す補正画像データを出力する出力手段と、
を有することを特徴とする画像処理装置。
【請求項２】
前記出力手段は、画素ごとに前記第一の補正手段の結果或いは前記第二の補正手段の結果の一方を選択することにより、前記補正画像データを出力することを特徴とする請求項１に記載の画像処理装置。
【請求項３】
前記出力手段は、画素ごとに前記第一の補正手段の結果及び前記第二の補正手段の結果を合成することにより、前記補正画像データを出力することを特徴とする請求項１に記載の画像処理装置。
【請求項４】
前記第一の着目画素群と、前記第二の着目画素群とは少なくとも画素数、各画素の位置関係のいずれかが異なることを特徴とする請求項１乃至３のいずれか一項に記載の画像処理装置。
【請求項５】
前記出力手段は、前記第一の着目画素群及び前記第二の着目画素群のうち画素数が多い方の着目画素群に基づいた前記第一の補正手段の結果或いは前記第二の補正手段の結果を選択することを特徴とする請求項１乃至４のいずれか一項に記載の画像処理装置。
【請求項６】
前記出力手段は、前記第一の類似度及び前記第二の類似度に基づいて決定される重み値の総和と二乗和との比に基づいて前記補正画像データを生成することを特徴とする請求項１乃至５のいずれか一項に記載の画像処理装置。
【請求項７】
前記第一の補正手段は、前記第一の類似度に基づいて決定される重み値を前記参照画素に乗することにより前記着目画素の画素値を補正することを特徴とする請求項１乃至６のいずれか一項に記載の画像処理装置。
【請求項８】
前記第一の類似度が高いほど、小さな重み値が決定されることを特徴とする請求項７に記載の画像処理装置。
【請求項９】
さらに前記画像データを解像度変換する変換手段を有し、
前記第一の補正手段と前記第二の補正手段は、前記画像データまたは前記変換手段によって解像度変換された画像データのいずれかを処理の対象とし、前記第一の補正手段と前記第二の補正手段はそれぞれ、処理対象とする画像データの解像度が異なることを特徴とする請求項１乃至３のいずれか一項に記載の画像処理装置。
【請求項１０】
前記第一の着目画素群と前記第二の着目画素群との画素数及び各画素の位置関係は一致することを特徴とする請求項９に記載の画像処理装置。
【請求項１１】
前記出力手段は解像度が低い方の画像データを処理対象とした前記第一の補正手段の結果或いは前記第二の補正手段の結果を選択することを特徴とする請求項９又は１０に記載の画像処理装置。
【請求項１２】
画像データが示す画像の各画素の属性を取得する取得手段と、
前記画素ごとに、前記属性に基づいて前記画素を含む着目画素群を決定する決定手段と、
前記決定手段により決定された前記着目画素群と参照画素群との類似度に基づいて前記画素の画素値を補正する補正手段と
を有することを特徴とする画像処理装置。
【請求項１３】
前記属性は、前記画素を含む領域の周波数成分に基づいて決定された情報であることを特徴とする請求項１２に記載の画像処理装置。
【請求項１４】
前記属性は、前記画素がエッジ部か平坦部かを示す情報であることを特徴とする請求項１２または１３に記載の画像処理装置。
【請求項１５】
請求項１乃至１４のいずれか一項に記載の画像処理装置を備える撮像装置。
【請求項１６】
画像データに対して画像処理を行う画像処理方法であって、
前記画像データを構成する着目画素を含む第一の着目画素群と参照画素を含む第一の参照画素群との第一の類似度に基づいて前記着目画素の画素値を補正する第一の補正ステップと、
前記着目画素を含む第二の着目画素群と前記参照画素を含む第二の参照画素群との第二の類似度に基づいて前記着目画素の画素値を補正する第二の補正ステップと、
前記第一の類似度または前記第二の類似度に基づいて、前記第一の補正ステップの結果及び前記第二の補正ステップの結果から補正画像を示す補正画像データを出力する出力ステップと、
を有することを特徴とする画像処理方法。
【請求項１７】
画像データが示す画像の各画素の属性を取得する取得ステップと、
前記画素ごとに、前記属性に基づいて前記画素を含む着目画素群を決定する決定ステップと、
前記決定ステップにより決定された前記着目画素群と参照画素群との類似度に基づいて前記画素の画素値を補正する補正ステップと
を有することを特徴とする画像処理方法。
【請求項１８】
コンピュータを、請求項１乃至１４のいずれか１項に記載の画像処理装置、または、請求項１５に記載の撮像装置として機能させるためのプログラム。
【手続補正書】
【提出日】平成28年4月26日(2016.4.26)
【手続補正１】
【補正対象書類名】特許請求の範囲
【補正対象項目名】全文
【補正方法】変更
【補正の内容】
【特許請求の範囲】
【請求項１】
入力信号の比較的低い周波数成分では振幅が規定レベルを越えるとバイアス電位が振幅の変化と反対方向にシフトされることで振幅制限される第１の振幅制限器と、
入力信号の比較的高い周波数成分では規定値を超える振幅部分が削除されることで振幅制限が行われる第２の振幅制限器を備えた音声信号振幅抑圧装置。
【請求項２】
音声信号の振幅制限値が他の音声信号の振幅値によってコントロールされる振幅制限器を備えた請求項１の音声信号振幅抑圧装置。
【請求項３】
前記第２の振幅制限器の前段に設けられたローカットフィルターと、
前記第１の振幅制限器の後段に設けられたハイカットフィルターと、
前記第２の振幅制限器の出力と、前記ハイカットフィルターの出力を加算する加算器と、
を備えた請求項１に記載の音声信号振幅抑圧装置。
【請求項４】
前記第１の振幅制限器の後段に設けられたハイカットフィルターと、
前記第１の振幅制限器と並列に設けられたローカットフィルターと、
前記ローカットフィルターの出力と、前記ハイカットフィルターの出力を加算する加算器とを備え、
前記第２の振幅制限器が前記加算器の後段に設けられた請求項１に記載の音声信号振幅抑圧装置。
【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
撮像された画像に基づいて、培養心筋細胞の動きを観察領域の部分領域毎に検出する動き検出部と、
前記検出された各動きの動き量を算出する動き量算出部と、
前記算出された各動き量の時間の経過に伴う変化を表す波形情報に基づいて、前記培養心筋細胞の拍動毎の前記動きの伝搬速度および伝搬方向を算出する伝搬情報算出部と
を備える画像処理装置。
【請求項２】
前記動き検出部は、
前記観察領域の動画像の各フレームについて前記部分領域毎に前記動きを検出し、
前記伝搬情報算出部は、
前記動画像の複数のフレームの前記部分領域毎の前記動き量に基づいて、前記部分領域の前記培養心筋細胞の拍動を表す波形情報を生成する
請求項１に記載の画像処理装置。
【請求項３】
前記伝搬情報算出部は、
所定の部分領域の前記波形情報の波形における予め設定された特徴点に対応する時刻を、他の部分領域の前記波形情報の波形における予め設定された特徴点に対応する時刻と比較することで、前記拍動毎の伝搬速度および伝搬方向を算出する
請求項２に記載の画像処理装置。
【請求項４】
前記観察領域全体の前記培養心筋細胞の複数の拍動に渡っての安定性を評価する評価値を算出する評価部をさらに備える
請求項１乃至３のいずれかに記載の画像処理装置。
【請求項５】
前記評価部は、
前記拍動の伝搬方向および伝搬速度の分散の度合、前記拍動の伝搬方向および伝搬速度の最大値および最小値の差分の小ささ、前記伝搬速度が一定の範囲内に存在する度合の内、少なくともいずれか１つを評価する
請求項４に記載の画像処理装置。
【請求項６】
前記拍動の伝搬の状態を可視化して表示する表示部をさらに備える
請求項１乃至５のいずれかに記載の画像処理装置。
【請求項７】
前記表示部は、
前記拍動の伝搬を等時線表示する
請求項６に記載の画像処理装置。
【請求項８】
前記表示部は、
前記拍動の伝搬方向をヒストグラム表示する
請求項６に記載の画像処理装置。
【請求項９】
前記表示部は、
前記拍動を表す波形に対応付けて、前記拍動毎の伝搬速度および伝搬方向を表示する
請求項６に記載の画像処理装置。
【請求項１０】
前記表示部は、
前記拍動の安定性を評価する評価値の時間の経過に伴う推移を表示する
請求項６に記載の画像処理装置。
【請求項１１】
動き検出部が、撮像された画像に基づいて、培養心筋細胞の動きを観察領域の部分領域毎に検出し、
動き量算出部が、前記検出された各動きの動き量を算出し、
伝搬情報算出部が、前記算出された各動き量を表す波形に基づいて、前記培養心筋細胞の拍動毎の前記動きの伝搬速度および伝搬方向を算出するステップ
を含む画像処理方法。
【請求項１２】
コンピュータを、
撮像された画像に基づいて、培養心筋細胞の動きを観察領域の部分領域毎に検出する動き検出部と、
前記検出された各動きの動き量を算出する動き量算出部と、
前記算出された各動き量の時間の経過に伴う変化を表す波形情報に基づいて、前記培養心筋細胞の拍動毎の前記動きの伝搬速度および伝搬方向を算出する伝搬情報算出部とを備える画像処理装置として機能させる
プログラム。
【手続補正２】
【補正対象書類名】明細書
【補正対象項目名】０１４７
【補正方法】削除
【補正の内容】
【手続補正３】
【補正対象書類名】明細書
【補正対象項目名】０１４８
【補正方法】削除
【補正の内容】
【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
始動入賞口への遊技球の入賞に基づき、識別情報を変動表示する変動表示ゲームを表示可能な表示装置を備え、前記変動表示ゲームの停止結果が予め定めた特別結果となった場合に、遊技者にとって有利な特別遊技状態を発生させる遊技機において、
前記始動入賞口への遊技球の入賞に基づき、前記変動表示ゲームの実行に関連する乱数を抽出し当該変動表示ゲームの実行権利となる始動記憶として所定数を上限に記憶する始動入賞記憶手段と、
前記始動記憶に対応する始動記憶表示を所定の表示部に表示する始動記憶表示手段と、
前記変動表示ゲームが実行される以前に、当該変動表示ゲームの結果を事前判定する事前判定手段と、
前記事前判定手段の判定結果に基づいて、前記始動記憶に対応する変動表示ゲームの期待度を当該始動記憶に対応する前記始動記憶表示の表示態様によって報知可能な事前判定結果報知手段と、を備え、
前記始動記憶表示は、複数の態様で表示可能なメインオブジェクトと、複数の態様で表示可能なサブオブジェクトから構成され、
前記事前判定結果報知手段は、前記メインオブジェクトの態様と前記サブオブジェクトの態様の組み合わせによって、前記始動記憶に対応する変動表示ゲームの期待度を報知し、
前記始動入賞口には、第１始動入賞口と、第２始動入賞口と、があり、
前記第２始動入賞口は変動入賞装置で構成され、
前記特別遊技状態の終了後に、通常状態よりも前記第２始動入賞口へ遊技球が入賞しやすい特定遊技状態を発生可能であり、
前記所定の表示部は、前記通常状態と前記特定遊技状態で異なること特徴とする遊技機。
【手続補正２】
【補正対象書類名】明細書
【補正対象項目名】０００１
【補正方法】変更
【補正の内容】
【０００１】
本発明は、始動入賞口への遊技球の入賞に基づき、識別情報を変動表示する変動表示ゲームを表示可能な表示装置を備え、前記変動表示ゲームの停止結果が予め定めた特別結果となった場合に、遊技者にとって有利な特別遊技状態を発生させる遊技機に関する。
【手続補正３】
【補正対象書類名】明細書
【補正対象項目名】０００２
【補正方法】変更
【補正の内容】
【０００２】
従来、遊技機の代表例としてパチンコ機がある。このパチンコ機では、遊技盤の遊技領域に設けられた始動口に遊技球が入賞することに基づいて、変動表示装置に表示される複数の識別情報（図柄、記号など）を変動表示する変動表示ゲームを開始し、変動表示ゲームの停止結果が予め定めた特別結果となった場合に、遊技者にとって有利な特別遊技状態を発生させるものがある。また、このパチンコ機では、始動入賞口への入賞に基づき変動表示ゲームの実行に関連する乱数を抽出して、変動表示ゲームの実行権利となる始動記憶として所定数を上限に記憶し、始動記憶に対応する始動記憶表示を所定の表示部に表示するものもある。
【手続補正４】
【補正対象書類名】明細書
【補正対象項目名】０００３
【補正方法】変更
【補正の内容】
【０００３】
また、始動記憶に基づいて変動表示ゲームが開始されるときに所定の表示部から特定表示部（始動記憶の消化領域）に移動した、当該始動記憶に対応する始動記憶表示で変動表示ゲームの進行に関連する始動記憶関連報知を実行するものがある（例えば、特許文献１参照）。
【手続補正５】
【補正対象書類名】明細書
【補正対象項目名】０００４
【補正方法】変更
【補正の内容】
【０００４】
【特許文献１】特開２０１３−６６６５４号公報
【手続補正６】
【補正対象書類名】明細書
【補正対象項目名】０００５
【補正方法】変更
【補正の内容】
【０００５】
しかしながら、上記の従来のパチンコ機では単に始動記憶関連報知を行うだけで単調であり、遊技の興趣を高めることに関してまだ改善の余地があった。
【手続補正７】
【補正対象書類名】明細書
【補正対象項目名】０００６
【補正方法】変更
【補正の内容】
【０００６】
そこで、本発明は、遊技機において遊技の興趣を高めることを目的とする。
【手続補正８】
【補正対象書類名】明細書
【補正対象項目名】０００７
【補正方法】変更
【補正の内容】
【０００７】
本発明の代表的な一形態では、始動入賞口への遊技球の入賞に基づき、識別情報を変動表示する変動表示ゲームを表示可能な表示装置を備え、前記変動表示ゲームの停止結果が予め定めた特別結果となった場合に、遊技者にとって有利な特別遊技状態を発生させる遊技機において、前記始動入賞口への遊技球の入賞に基づき、前記変動表示ゲームの実行に関連する乱数を抽出し当該変動表示ゲームの実行権利となる始動記憶として所定数を上限に記憶する始動入賞記憶手段と、前記始動記憶に対応する始動記憶表示を所定の表示部に表示する始動記憶表示手段と、前記変動表示ゲームが実行される以前に、当該変動表示ゲームの結果を事前判定する事前判定手段と、前記事前判定手段の判定結果に基づいて、前記始動記憶に対応する変動表示ゲームの期待度を当該始動記憶に対応する前記始動記憶表示の表示態様によって報知可能な事前判定結果報知手段と、を備え、前記始動記憶表示は、複数の態様で表示可能なメインオブジェクトと、複数の態様で表示可能なサブオブジェクトから構成され、前記事前判定結果報知手段は、前記メインオブジェクトの態様と前記サブオブジェクトの態様の組み合わせによって、前記始動記憶に対応する変動表示ゲームの期待度を報知し、前記始動入賞口には、第１始動入賞口と、第２始動入賞口と、があり、前記第２始動入賞口は変動入賞装置で構成され、前記特別遊技状態の終了後に、通常状態よりも前記第２始動入賞口へ遊技球が入賞しやすい特定遊技状態を発生可能であり、前記所定の表示部は、前記通常状態と前記特定遊技状態で異なる。
【手続補正９】
【補正対象書類名】明細書
【補正対象項目名】０００８
【補正方法】変更
【補正の内容】
【０００８】
なお、始動入賞記憶手段は、例えば、遊技制御装置である。始動記憶表示手段は、例えば、演出制御装置である。
【手続補正１０】
【補正対象書類名】明細書
【補正対象項目名】０００９
【補正方法】変更
【補正の内容】
【０００９】
本発明の一形態によれば、遊技機において遊技の興趣を高めることができる。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
複数の回胴及び前記複数の回胴をそれぞれ回転させる複数のモータとを含むリールユニットと、前記複数のモータの回転及び停止を制御する制御部とを備える遊技機において、
前記複数のモータは固定子として回転子の回転方向に沿って順番に配置された第１巻線乃至第４巻線（ただし、前記第１巻線と前記第２巻線は前記回胴を停止させるべき所定の位置に到達したときに励磁されていたものとする）の４つの巻線を備えるステッピングモータであり、
前記制御部は、前記４つの巻線のうちの１つ又は２つを交互にそれぞれ予め定められた時間励磁することにより前記回胴を予め定められた一定速度で回転させ、
前記制御部は、少なくとも１つの前記モータについて、前記回胴を停止させるべき前記所定の位置に到達した後において、
前記第１巻線、前記第２巻線、前記第４巻線を所定時間励磁する第１ステップと、
前記第１巻線、前記第２巻線、前記第３巻線を所定時間励磁する第２ステップと、
前記第１巻線を前記所定時間よりも長く励磁する第３ステップと、
前記第１巻線について励磁を解除する第４ステップとを実行することを特徴とする遊技機。
【手続補正書】
【提出日】平成28年5月11日(2016.5.11)
【手続補正１】
【補正対象書類名】明細書
【補正対象項目名】００２７
【補正方法】変更
【補正の内容】
【００２７】
＜第一実施形態＞
本実施形態のＭＲＩ装置の動作フローを図３に示す。図３に示すように、動作は大きく分けて、被検体の画像（補正前）２０１を得るステップＳ２１０と、受信感度補正ステップＳ２２０と、送信感度補正ステップＳ２３０とからなる。ステップＳ２１０は、本計測を行うステップＳ２１１と、本計測で計測した受信ＲＦ信号を用いて画像再構成するステップＳ２１２とを含む。受信感度補正ステップＳ２２０は、感度画像を取得する計測を行うステップＳ２２１、ステップＳ２２１で計測した受信ＲＦ信号を用いて感度画像を得るステップＳ２２２、感度画像から受信感度補正係数２０２を計算するステップＳ２２３、受信感度補正係数２０２のサイズを補正前画像に合わせるステップＳ２２４、及び受信感度補正係数２０２を適用して受信感度補正を行うステップＳ２２５を含んでいる。
【手続補正２】
【補正対象書類名】明細書
【補正対象項目名】００２８
【補正方法】変更
【補正の内容】
【００２８】
送信感度補正ステップＳ２３０は、ＲＦ送信コイルのチャンネル毎に２次元送信感度分布２０３を得るための計測を行うステップＳ２３１と、計測した信号を用いて複素２次元Ｂ１マップを計算するステップＳ２３２と、２次元Ｂ１マップからフィッティングにより３次元Ｂ１マップを計算するステップＳ２３３と、３次元Ｂ１マップ２０５から、補正前画像２０１と同じスライス位置の送信感度分布を切り出し各チャンネルのＢ１マップを合成し補正用Ｂ１マップを作成するステップＳ２３４と、補正用Ｂ１マップから送信感度補正係数２０３を計算するステップＳ２３５と、送信感度補正係数２０３のサイズを補正前画像に合わせるステップＳ２３６と、さらに送信感度補正係数２０３を用いて送信感度補正を行うステップＳ２３７とを含む。
【手続補正３】
【補正対象書類名】明細書
【補正対象項目名】００３１
【補正方法】変更
【補正の内容】
【００３１】
＜受信感度補正ステップＳ２２０＞
受信感度補正は、例えばＭａｇｍｅｔｉｃ  Ｒｅｓｏｎａｎｃｅ  ｏｆ  Ｍｅｄｉｃｉｎｅ  ５３（２００５），ｐ６６６などに記載された公知の手法を用いて行う。まず本計測で用いるＲＦ受信用コイルと同じＲＦ受信用コイルを用いて感度画像を計測する（Ｓ２２１）。感度画像の計測は、本計測と同じ断面について本計測よりも低空間分解能で行う。
【手続補正４】
【補正対象書類名】明細書
【補正対象項目名】００３３
【補正方法】変更
【補正の内容】
【００３３】
この補正係数２０２を補正前画像２０１と同じサイズまで補間拡大する（Ｓ２２４）。この処理は、マトリクスサイズが異なる感度画像と補正前画像２０１とのサイズを合わせる処理であり、感度画像の隣接する画素間を周囲の画像値で補間してサイズを拡大する。最後にステップＳ２２４で得たサイズ調整後の補正係数を補正前画像２０１に乗算する（Ｓ２２５）。この処理により、受信感度分布による信号むらが補正される。受信感度補正Ｓ２２０を送信感度補正Ｓ２３０の後に行う場合には、ステップＳ２２３で得た補正係数２０２をメモリに記憶し、その後のステップＳ２３０で送信感度分布補正を行う際に、メモリから読み出し、受信感度補正を合わせて行う。
【手続補正５】
【補正対象書類名】明細書
【補正対象項目名】００６８
【補正方法】変更
【補正の内容】
【００６８】
以上の処理により受信感度分布による信号むら補正と、送信感度分布による信号むら補正を施した感度補正画像２０５が得られる。感度補正画像２０５は、式（１４）に示すように、そのスライス位置における受信感度補正係数２０２と送信感度補正係数２０３を補正前画像２０１に乗算したものであり、受信感度分布補正Ｓ２２０と送信感度分布補正Ｓ２３０のいずれの処理を先に実施しても得られる感度補正画像は同一になることがわかる。
【手続補正６】
【補正対象書類名】明細書
【補正対象項目名】００８３
【補正方法】変更
【補正の内容】
【００８３】
本実施形態では、この不連続を解消し、精度の高い補正を実現するため、マスク内領域からの距離に応じたフィルタリングを適用する。まずＢ１マップ全体の画素にマスク領域からの距離を設定する（Ｓ９０１）。具体的には、図１２（ｄ）に示すように、マスク内領域にあるピクセルに距離１を設定し、次に距離１のピクセルに隣接するピクセルに距離２を設定する。距離を３、４・・・とインクリメントしながらこの操作を繰り返していくことで、外挿領域内のすべてのピクセルに距離が設定される。
【手続補正書】
【提出日】平成28年10月26日(2016.10.26)
【手続補正１】
【補正対象書類名】明細書
【補正対象項目名】０００５
【補正方法】削除
【補正の内容】
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
【特許文献１】特開２０１０−３５６６６号公報
【手続補正４】
【補正対象書類名】明細書
【補正対象項目名】０００８
【補正方法】変更
【補正の内容】
【０００８】
しかしながら、特許文献１に記載の遊技機のような演出は周知であり、同様の構成では、遊技に対する飽きが生じてしまい、遊技興趣の低下を招く虞がある。
【手続補正５】
【補正対象書類名】明細書
【補正対象項目名】０００９
【補正方法】変更
【補正の内容】
【０００９】
そこで、本発明は、このような事情に鑑みてなされたものであり、その目的は、遊技興趣の低下を抑制することが可能となる遊技機を提供することにある。
【手続補正６】
【補正対象書類名】明細書
【補正対象項目名】００１０
【補正方法】変更
【補正の内容】
【００１０】
請求項１に係る遊技機は、
遊技媒体を用いて遊技が行われる遊技機であって、
遊技に関する所定の演出画像を表示可能な第１演出表示装置と、
前記第１演出表示装置より遊技者側に配置され、遊技に関する所定の演出画像を表示可能な第２演出表示装置と、
所定条件の成立に基づいて利益付与に関する抽選を行う抽選手段と、
前記抽選に関する保留画像を前記所定の演出画像として前記第２演出表示装置に表示する保留数表示手段と、
前記抽選の結果に基づいて、前記第１演出表示装置及び前記第２演出表示装置による演出の進行を制御する演出制御手段と、
を備え、
前記演出制御手段は、
前記第２演出表示装置に前記所定の演出画像を表示した状態で、前記第１演出表示装置の前面側において前記第２演出表示装置を移動させることが可能である
ことを特徴とする。
また、別発明として、以下の手段でもよい。
［手段１］
手段１に係る遊技機は、
遊技者の操作によって遊技媒体が打ち込まれる遊技領域と、
該遊技領域の後端を区画し、前後方向へ貫通した開口部を有する板状の遊技パネルと、  該遊技パネルの後側に配置されると共に、前記開口部を通して遊技者側から視認可能に配置され、所定の画像を表示可能な表示パネルを有した演出表示手段と、
前記遊技パネルの前面で前記遊技領域内の所定位置に配置され、遊技媒体を受入可能とされた始動口と、
該始動口への遊技媒体の受入に応じて所定の抽選結果を抽選する抽選手段と、
該抽選手段によって抽選された前記抽選結果を所定時間かけて遊技者に示唆する抽選演出画像を前記演出表示手段に表示させる抽選結果示唆手段と、
該抽選結果示唆手段によって前記演出表示手段に特定の抽選結果が示唆されると、遊技者が有利となる有利遊技状態を発生させる有利遊技状態発生手段と、
該有利遊技状態発生手段による有利遊技状態の発生中、又は、前記抽選結果示唆手段による前記抽選結果の示唆中を含む前記抽選結果示唆手段で前記抽選結果の示唆を開始することができない時に、前記始動口への遊技媒体の受入れに応じて前記抽選手段で抽選された前記抽選結果の示唆を、前記抽選結果示唆手段で示唆の開始が可能となるまで所定数保留する保留手段と、
前記演出表示手段の前記表示パネルに設定された保留数表示領域において、前記保留手段によって保留された前記抽選結果の保留の数に対応させて保留されていることを表す第１保留画像を表示させる保留数表示手段と、
前記遊技パネルと前記演出表示手段の前記表示パネルとの間に配置され、前記抽選結果に応じて前記表示パネルの少なくとも一部を被覆可能とされた可動体と、
を備えた遊技機において、
前記可動体は、前後方向における前記表示パネルの前記保留数表示領域の前方に前記可動体が位置する進出位置を取るときに前記保留数表示領域を遊技者から視認不可能とする保留表示隠蔽部と、
所定の画像を表示可能であって、前記可動体が前記進出位置をとるときに前記所定の画像が遊技者から視認可能とされる画像表示装置と、を備え、
前記画像表示装置は、前記抽選結果の保留の数に対応させて保留されていること及び前記抽選結果に対する期待度を示唆する第２保留画像を表示するものであって、
前記保留数表示領域において前記保留の数に対応した前記第１保留画像が表示されている状態で、
前記可動体が、前記保留数表示領域の前方に位置していない退去位置から可動され、前記保留数表示領域の前方に位置する前記進出位置で可動停止されるときに、
前記画像表示装置に、前記第２保留画像を表示する、ことを特徴とする。
【手続補正７】
【補正対象書類名】明細書
【補正対象項目名】００１９
【補正方法】変更
【補正の内容】
【００１９】
請求項１に係る遊技機によれば、遊技興趣の低下を抑制することが可能となる。
【手続補正８】
【補正対象書類名】特許請求の範囲
【補正対象項目名】全文
【補正方法】変更
【補正の内容】
【特許請求の範囲】
【請求項１】
遊技媒体を用いて遊技が行われる遊技機であって、
遊技に関する所定の演出画像を表示可能な第１演出表示装置と、
前記第１演出表示装置より遊技者側に配置され、遊技に関する所定の演出画像を表示可能な第２演出表示装置と、
所定条件の成立に基づいて利益付与に関する抽選を行う抽選手段と、
前記抽選に関する保留画像を前記所定の演出画像として前記第２演出表示装置に表示する保留数表示手段と、
前記抽選の結果に基づいて、前記第１演出表示装置及び前記第２演出表示装置による演出の進行を制御する演出制御手段と、
を備え、
前記演出制御手段は、
前記第２演出表示装置に前記所定の演出画像を表示した状態で、前記第１演出表示装置の前面側において前記第２演出表示装置を移動させることが可能である
ことを特徴とする遊技機。
【請求項２】
請求項１に記載の遊技機において、音の出力にかかる制御を行う音出力制御手段をさらに備えることを特徴とする遊技機。
【請求項３】
請求項１または２に記載の遊技機において、遊技結果に応じて遊技者に遊技価値を付与可能な遊技価値付与手段をさらに備えることを特徴とする遊技機。
【手続補正書】
【提出日】平成28年7月1日(2016.7.1)
【手続補正１】
【補正対象書類名】特許請求の範囲
【補正対象項目名】全文
【補正方法】変更
【補正の内容】
【特許請求の範囲】
【請求項１】
電動モータを駆動源として走行駆動する車両に搭載され、
複数のスイッチング素子を含み、指令値に基づいて前記電動モータに駆動電流を供給するモータ駆動回路と、
前記電動モータを駆動する高電圧の直流電源に接続され前記モータ駆動回路に電力を供給する電源回路と、
前記モータ駆動回路を制御する制御回路と、を備え、
前記制御回路は、
前記電動モータを駆動制御する複数の制御モードを有するとともに、
前記車両に設けられた加速度センサの値により前記車両の衝突を検知する衝突検知手段と、
前記制御モードを切り替える制御モード切替手段と、備え、
前記制御モード切替手段は、前記車両の衝突検知により、直ちに前記制御モードを電圧位相制御から電流ベクトル制御に移行させ、
前記制御モードを移行させた後に前記電動モータの各相電流および電源電流検出により過電流を検出したとき、前記モータ駆動回路内の前記スイッチング素子の動作を停止させた後、前記直流電源と前記モータ駆動回路との間の接続を開閉する電源リレーを遮断し電力供給を停止させることを特徴とする車載用モータ制御装置。
【手続補正２】
【補正対象書類名】明細書
【補正対象項目名】０００６
【補正方法】変更
【補正の内容】
【０００６】
上記課題を解決するために、請求項１に記載の発明は、電動モータを駆動源として走行駆動する車両に搭載され、複数のスイッチング素子を含み、指令値に基づいて前記電動モータに駆動電流を供給するモータ駆動回路と、前記電動モータを駆動する高電圧の直流電源に接続され前記モータ駆動回路に電力を供給する電源回路と、前記モータ駆動回路を制御する制御回路と、を備え、前記制御回路は、前記電動モータを駆動制御する複数の制御モードを有するとともに、前記車両に設けられた加速度センサの値により前記車両の衝突を検知する衝突検知手段と、前記制御モードを切り替える制御モード切替手段と、備え、前記制御モード切替手段は、前記車両の衝突検知により、直ちに前記制御モードを電圧位相制御から電流ベクトル制御に移行させ、前記制御モードを移行させた後に前記電動モータの各相電流および電源電流検出により過電流を検出したとき、前記モータ駆動回路内の前記スイッチング素子の動作を停止させた後、前記直流電源と前記モータ駆動回路との間の接続を開閉する電源リレーを遮断し電力供給を停止させることを要旨とする。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】削除
【補正の内容】
【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
外生菌根菌の子実体の胞子形成組織から胞子を採取し、前記胞子に殺菌成分を含む溶液を加えて該胞子を殺菌し、前記溶液にさらに洗浄水を加え、遠心分離することにより前記胞子を含む沈殿物と、その他から成る上澄み液に分離し、前記上澄み液を除去することにより、植物育成資材を製造する方法。
【請求項２】
請求項１に記載の植物育成資材の製造方法において、さらに真空乾燥処理を施すことにより前記沈殿物を固化させることを特徴とする植物育成資材の製造方法。
【請求項３】
Suillus属、又はRhizopogon属の外生菌根菌を用いることを特徴とする請求項１又は２に記載の植物育成資材の製造方法。
【請求項４】
外生菌根菌の子実体の胞子形成組織から採取された胞子に殺菌成分を含む溶液が加えられることによって殺菌された殺菌済み胞子を、前記溶液及び洗浄液とともに遠心分離することにより得られた沈殿物から成る植物育成資材。
【請求項５】
前記外生菌根菌が、Suillus属、又はRhizopogon属の外生菌根菌であることを特徴とする請求項４に記載の植物育成資材。
【請求項６】
１ｍＬ当たり１×１０７個以上の胞子を含有することを特徴とする請求項４又は５に記載の植物育成資材。